(57)【要約】【課題】従来の側柵のロック機構では、ロックピンに係合させるロック片と操作レバーの間に中間リンクを連結しているため、部品点数が多く、組立工数も多くなるため、コストアップとなる。【解決手段】本発明では、上下方向に間隔をおいて配置し、ベッドの長手方向に対応する軸の回りに回動可能とした第１ステー１３と第２ステー１４により側柵本体８をベッドの側部に上下動可能とすると共に上昇位置において固定可能とする側柵において、第１ステーの支持部材に、フック状部３０を形成したロック片２９と、それを操作する操作レバー２３を回動可能に支持すると共に、上記第２ステーの支持部材に、上記フック状部が係合可能なロックピン２１を支持し、上記ロック片にロックピン方向への付勢手段３２を設けると共にフォーク状部３１を設け、このフォーク状部に相対移動可能に係合する係合部２６を操作レバーに設けた側柵のステーロック機構を提案する。【選択図】図６
2008029799.tif 000002
【特許請求の範囲】
【請求項１】
上下方向に間隔をおいて配置し、ベッドの長手方向に対応する軸の回りに回動可能とした第１ステーと第２ステーにより、側柵本体をベッドの側部に上下動可能とすると共に、上昇位置において固定可能とする側柵において、上記第１ステーの支持部材に、フック状部を形成したロック片と、このロック片を操作する操作レバーを回動可能に支持すると共に、上記第２ステーの支持部材に、上記フック状部が係合可能なロックピンを支持し、上記ロック片にロックピン方向への付勢手段を設けると共に、フォーク状部を設け、このフォーク状部に相対移動可能に係合する係合部を操作レバーに設けたことを特徴とするベッド等の仰臥台における側柵のステーロック機構。
【請求項２】
上下方向に間隔をおいて配置し、ベッドの長手方向に対応する軸の回りに回動可能とした第１ステーと第２ステーにより、側柵本体をベッドの側部に上下動可能とすると共に、上昇位置において固定可能とする側柵において、上記第１ステーの支持部材にフック状部を形成したロック片と、このロック片を操作する操作レバーを回動可能に支持すると共に、上記第２ステーの支持部材に、上記フック状部が係合可能なロックピンを支持し、上記操作レバーにフォーク状部を設けると共に、このフォーク状部に相対移動可能に係合する係合部を上記ロック片に設け、ロック片にはロックピン方向への付勢手段を設けたことを特徴とするベッド等の仰臥台における側柵のステーロック機構。
【請求項３】
第１ステーと第２ステーは、夫々左右に配置した一対のリンクアーム間に機構要素の支持部材を結合して構成したことを特徴とする請求項１又は２に記載のベッド等の仰臥台における側柵のステーロック機構。
【請求項４】
第１ステーの一対のリンクアームは、第２ステーの一対のリンクアームの外側に配置したことを特徴とする請求項１〜３までのいずれか１項に記載のベッド等の仰臥台における側柵のステーロック機構。
【請求項５】
第１ステーと第２ステーは、それらの一端側を側柵本体への取付部材に回動可能に固定すると共に、それらの他端側をベッドフレームへの取付部材に回動可能に固定したことを特徴とする請求項１〜４までのいずれか１項に記載のベッド等の仰臥台における側柵のステーロック機構。
【請求項６】
第１ステーの支持部材には、操作レバーの操作を可能とする前面カバーを設け、操作レバーは、ロック片のフック状部がロックピンに正常に係合している状態において、その前部が前面カバーの面から突出しない位置とし、操作レバーの操作時に前面カバーから突出する位置にもたらす配置としたことを特徴とする請求項１〜５までのいずれか１項に記載のベッド等の仰臥台における側柵のステーロック機構。
【請求項７】
操作レバーの操作時に前面カバーから突出する側面部に異色部を形成したことを特徴とする請求項１〜６までのいずれか１項に記載のベッド等の仰臥台における側柵のステーロック機構。
【請求項８】
操作レバーには、操作方向への運動において第２ステーの支持部材に当接する回動規制当接部を設けたことを特徴とする請求項１〜７までのいずれか１項に記載のベッド等の仰臥台における側柵のステーロック機構。
【発明の詳細な説明】
【技術分野】
【０００１】
本発明は、ベッド等の仰臥台における側柵のステーロック機構、特に、上下方向に間隔をおいて配置し、仰臥台の長手方向に対応する軸の回りに回動可能とした第１ステーと第２ステーにより、側柵本体を仰臥台の側部に上下動可能とすると共に、上昇位置において固定可能とするベッド等の仰臥台における側柵のステーロック機構に関するものである。
【背景技術】
【０００２】
上下方向に間隔をおいて配置し、ベッドの長手方向に対応する軸の回りに回動可能とした第１ステーと第２ステーにより、側柵本体をベッドの側部に上下動可能とすると共に、上昇位置において固定可能とする側柵のロック機構としては、従来、例えば特許文献１に示されるものがある。
【０００３】
図１８、図１９は特許文献１に示される側柵と、そのロック機構を示すものである。これらの図においては奥行き方向がベッドの長手方向に対応しており、符号１０１はベッド、１０２はベッドフレーム、１０３はボトムを示すものである。符号１０４は側柵本体、１０５はベッドフレーム１０２に設けた取付用ブラケットを示すもので、側柵本体１０４は、取付用ブラケット１０５との間に連結した第１、第２リンクアーム１０６、１０７によって上下動可能に支持されている。図示されているように第１、第２リンクアーム１０６、１０７は側柵本体１０４と取付用ブラケット１０５に、ベッド１０１の長手方向に対応する軸１０６ａ，１０６ｂ；１０７ａ，１０７ｂの回りに回動可能であり、これら第１、第２リンクアーム１０６、１０７、側柵本体１０４及び取付用ブラケット１０５により平行リンク機構が構成されている。
【０００４】
以上の構成の側柵において、下記に示すような構成のロック機構を設けている。即ち、第１リンクアーム１０６には、下方に開口が向いたフック状部１０８を形成したロック片１０９が軸１０９ａの回りに回動可能に固定されており、取付用ブラケット１０５には、ロック片１０９のフック状部１０８が係合するロックピン１１０が設けられている。更に、第１リンクアーム１０６には操作レバー１１１が軸１１１ａの回りに回動可能に設けられており、この操作レバー１１１とロック片１０９とが中間リンク１１２により連結されている。
【０００５】
尚、符号１１３はロック片１０９を、フック状部１０８がロックピン１１０に係合する方向に付勢するばねであり、また符号１１４は第１のリンクアーム１０６と取付用ブラケット１０５間に連結したダンパーである。
【０００６】
以上の構成において、側柵本体１０４を第１、第２のリンクアーム１０６、１０７の回動により上昇させ、図１８に示すようにロック片１０９のフック状部１０８をばね１１３の付勢によりロックピン１１０に係合すると、第１のリンクアーム１０６は下降が阻止され、従って側柵本体１０４はボトム１０３の側部で上昇した状態で保持される。
【０００７】
次に側柵本体１０４を格納位置に下降させる場合には、操作レバー１１１を図中矢印方向、即ち反時計方向に回動させると、中間リンク１１２が図中右側に移動してロック片１０９を図中時計方向に回動させるので、ロック片１０９は図中２点鎖線で示すように回動して、ロックピン１１０との係合が解除される。
【０００８】
従って、この解除状態において、図１９に示すように、第１、第２のリンクアーム１０６、１０７が図中時計方向に回動して側柵本体１０４を下降し、格納位置に至らせることができる。
【特許文献１】特許第３３２１１７４号公報
【発明の開示】
【発明が解決しようとする課題】
【０００９】
上述した従来技術のロック機構では、ロックピンに係合させるロック片と操作レバーの間に中間リンクを連結しているため、部品点数が多くなると共に、組立工数が多くなるため、コストアップとなるという問題点があった。
【００１０】
また操作レバーによる操作力がロック片に直接に伝わらないため、操作が確実に行われたか否かを外部から知るのが困難であった。
【００１１】
またロック片のフック状係合部を係合させるロックピンは、ベッドフレームの取付用ブラケットに設けており、ロックピンから操作レバーの距離を長くすることは実際的でないので、操作レバーを設ける位置に自由度が少ない。
【００１２】
本発明は、以上の従来の問題点を解決し、少ない部品点数で、操作を確実に行えるベッド等の仰臥台における側柵のステーロック機構を提供することを目的とするものである。
【００１３】
また本発明では、操作レバーによる操作が確実に行われているか否かを、外部から容易に確実に知ることができるようにすることを他の目的とするものである。
【課題を解決するための手段】
【００１４】
上述した課題を解決するために、本発明では、上下方向に間隔をおいて配置し、ベッドの長手方向に対応する軸の回りに回動可能とした第１ステーと第２ステーにより、側柵本体をベッドの側部に上下動可能とすると共に、上昇位置において固定可能とする側柵において、上記第１ステーの支持部材に、フック状部を形成したロック片と、このロック片を操作する操作レバーを回動可能に支持すると共に、上記第２ステーの支持部材に、上記フック状部が係合可能なロックピンを支持し、上記ロック片にロックピン方向への付勢手段を設けると共に、フォーク状部を設け、このフォーク状部に相対移動可能に係合する係合部を操作レバーに設けた構成のベッド等の仰臥台における側柵のステーロック機構を提案する。
【００１５】
また本発明では、他の構成として、上下方向に間隔をおいて配置し、ベッドの長手方向に対応する軸の回りに回動可能とした第１ステーと第２ステーにより、側柵本体をベッドの側部に上下動可能とすると共に、上昇位置において固定可能とする側柵において、上記第１ステーの支持部材にフック状部を形成したロック片と、このロック片を操作する操作レバーを回動可能に支持すると共に、上記第２ステーの支持部材に、上記フック状部が係合可能なロックピンを支持し、上記操作レバーにフォーク状部を設けると共に、このフォーク状部に相対移動可能に係合する係合部を上記ロック片に設け、ロック片にはロックピン方向への付勢手段を設けたベッド等の仰臥台における側柵のステーロック機構を提案する。
【００１６】
そして本発明では、以上の構成において、第１ステーと第２ステーは、夫々左右に配置した一対のリンクアーム間に機構要素の支持部材を結合して構成したベッド等の仰臥台における側柵のステーロック機構を提案する。
【００１７】
また本発明では、以上の構成において、第１ステーの一対のリンクアームは、第２ステーの一対のリンクアームの外側に配置したベッド等の仰臥台における側柵のステーロック機構を提案する。
【００１８】
更に本発明では、以上の構成において、第１ステーと第２ステーは、それらの一端側を側柵本体への取付部材に回動可能に固定すると共に、それらの他端側をベッドフレームへの取付部材に回動可能に固定したベッド等の仰臥台における側柵のステーロック機構を提案する。
【００１９】
また本発明では、以上の構成において、第１ステーの支持部材には、操作レバーの操作を可能とする前面カバーを設け、操作レバーは、ロック片のフック状部がロックピンに正常に係合している状態において、その前部が前面カバーの面から突出しない位置とし、操作レバーの操作時に前面カバーから突出する位置にもたらす配置としたベッド等の仰臥台における側柵のステーロック機構を提案する。
【００２０】
また本発明では、以上の構成において、操作レバーの操作時に前面カバーから突出する側面部に異色部を形成したベッド等の仰臥台における側柵のステーロック機構を提案する。
【００２１】
更に本発明では、以上の構成において、操作レバーには、操作方向への運動において第２ステーの支持部材に当接する回動規制当接部を設けたベッド等の仰臥台における側柵のステーロック機構を提案する。
【発明の効果】
【００２２】
本発明においては、操作レバーによる操作力は、フォーク状部と、それに移動可能に係合した係合部によって、直接にロック片に伝わるため、ロック片のロックピンからの係合解除操作を確実に行うことができる。
【００２３】
また本発明においては、操作レバーとロック片との間に中間リンク等の部材を介在させていないので、上述したように操作を確実に行えると共に部品数が少なくなるためコストを低減することができる。
【００２４】
ロック片のフック状部がロックピンに正常に係合している状態において、その前部が前面カバーの面から突出しない位置とし、操作レバーの操作時に前面カバーから突出する位置にもたらす配置とした場合には、ロック片のフック状部をロックピンに係合させる操作を行った際に、操作レバーの前面が突出しているか否かを視認することにより、確実に係合が成されているか、中途半端な係合かを外部から知ることができる。
【００２５】
例えば、操作レバーの操作時に前面カバーから突出する側面部に異色部を形成すれば、視認が容易である。
【００２６】
また操作レバーには、操作方向への運動において第２ステーの支持部材に当接する回動規制当接部を設ければ、操作レバーの無理な操作による機構要素の損傷等を防ぐことができる。
【発明を実施するための最良の形態】
【００２７】
次に本発明のベッド等の仰臥台における側柵のステーロック機構の実施の形態を図を参照して説明する。
図１は本発明のステーロック機構を適用したベッドの斜視図、図２は正面図である。符号１はベッドを概括的に示すものであり、２は基台３の上方に昇降可能に構成したベッドフレーム、４は複数の床部４ａ，４ｂ，４ｃ，４ｄに分割され、起伏姿勢とすることが可能なボトムである。符号５ａはヘッドボード、５ｂはフットボードであり、６ａはボトム４の昇降起伏を操作する手元操作器、６ｂは看護師等の介護者がボトム４の昇降起伏を操作する介護操作器を示すものである。そして符号７が本発明に係る側柵を概括的に示すものである。尚、以上に説明したベッド１の動作は自明であるので説明は省略する。
【００２８】
本発明に係る側柵７は、概ね、側柵本体８と機構部９とから構成され、機構部９にはベッドフレーム２に取り付けるための取付枠１０が設けられている。次に機構部９の詳細を説明するが、この際、参照する図３、図４はベッド１から取り外した状態の側柵７を夫々正面側、背面側からみた斜視図であり、また図５は側柵本体８と機構部９の前面カバーを外した状態で正面側から見た斜視図、図６は図５の要部の拡大図である。更に図７〜図９は図６のＡ−Ａ線で切断した要部の拡大断面図である。
【００２９】
即ち、本発明に係る側柵は、上下方向に間隔をおいて配置し、ベッド１の長手方向に対応する軸１１ａ，１１ｂ；１２ａ，１２ｂの回りに回動可能とした第１ステー１３と第２ステー１４により、側柵本体８をベッド１の側部に上下動可能とすると共に、上昇位置において固定可能とする構成である。この上昇位置において固定可能とする機構が、本発明におけるステーロック機構１５である。
【００３０】
図に示すように第１ステー１３、第２ステー１４は、夫々左右に配置した一対のリンクアーム１６、１７間に支持部材１８、１９を結合して構成している。この構成において、第１ステー１３の一対のリンクアーム１６は、第２ステー１４の一対のリンクアーム１７の外側に配置している。
【００３１】
第２ステー１４の支持部材１９は板状であり、この支持部材１９には支持枠２０によりロックピン２１が支持されている。
【００３２】
一方、第１ステー１３の支持部材１８は、第２ステー１４のリンクアーム１７を跨ぎ、リンクアーム１７間において支持部材１９方向に突出した屈曲板状に形成している。そして支持部材１８には、軸２２により操作レバー２３が回動可能に固定され、操作レバー２３の上部には板状部２４が形成され、この板状部２４に突設した支持枠２５に棒状部２６が形成されている。更に支持部材１８には、支持枠２７に支持された軸２８にロック片２９が回動可能に支持されている。ロック片２９は上下方向の中間位置に上記軸２８が位置しており、上部には上記ロックピン２１に係合可能なフック状部３０が形成されており、また下部にはフォーク状部３１が形成されている。そして、このフォーク状部３１に上記棒状部２６が相対移動可能に係合している。更に、ロック片２９には捻りコイルばね３２が設けられていて、ロックピン２１に係合する方向に付勢されている。また操作レバー２３の板状部２４の前側には、操作レバー２３の回動操作において上記第２ステー１４の板状の支持部材１９に当接して回動を規制する回動規制当接部３３が形成されている。尚、符号３４は側柵本体８への取付部材である。
【００３３】
以上の構成要素から成る機構部９は、操作レバー２３の操作を可能とする前面カバー３５により覆われている。
【００３４】
以上の構成において、側柵本体８を第１、第２のステー１３、１４を構成するリンクアーム１６、１７の回動により平行に上昇させると、図５〜図７、図１０に示すように、ロック片２９のフック状部３０が捻りコイルばね３２の付勢によりロックピン２１に係合し、これにより第１ステー１３と第２ステー１４の相対移動ができなくなるので、リンクアーム１６、１７の下降が阻止され、従って側柵本体８はボトム４の側部で上昇した状態で保持される。
【００３５】
次に側柵本体８を格納位置に下降させる場合には、操作レバー２３を図７中の矢印方向、即ち反時計方向に回動させると、操作レバー２３の板状部２４の支持枠２５に設けられた棒状部２６が、フォーク状部３１内を相対移動しながらロック片２９を押して、ロック片２９を捻りコイルばね３２の付勢に抗して反時計方向に回動させる。こうして、ロック片２９が反時計方向に回動すると、図８に示すように、ロック片２９のフック状部３０がロックピン２１から外れ、係合が解除される。
【００３６】
このようにロック片２９のフック状部３０とロックピン２１の係合が解除されると、第１ステー１３と第２ステー１４の相対移動が可能となって、リンクアーム１６、１７の回動下降が可能となり、図１１から図１２、図１３の状態を経て、図１４に示される格納位置に至らせることができる。尚、図１５は図１２の状態の側柵７を背面側から見た斜視図を示すもので、同様に図１７は図１４の状態の側柵７を背面側から見た斜視図、そして図１６は図１４の状態の側柵７を正面側から見た斜視図である。
【００３７】
このように本発明では、操作レバー２３とロック片２９は、上述した従来技術のような中間リンク等の中間部材を介さずに、棒状部２６とフォーク状部３１の係合により直接的に操作力が伝わるので、操作を円滑に確実に行うことができる。また中間部材が不要であるので、部品数が低減され、コストを低減することができる。
【００３８】
そしてこの実施の形態では、操作レバー２３の板状部２４の前側に回動規制当接部３３が形成されているので、操作レバー２３の必要以上の回動操作を防止することができ、ロック片２９等の機構要素に必要以上の負荷が加わることによる損傷を防ぐことができる。
【００３９】
格納状態の側柵本体８を使用状態にするには、側柵本体８を持ち上げると、第１ステー１３と第２ステー１４を構成するリンクアーム１６、１７が回動上昇し、これと共に側柵本体８が平行に上昇して、使用位置にもたらすことができる。
【００４０】
側柵本体８が使用位置に上昇すると、ロック片２９のフック状部３０がロックピン２１を乗り越えて係合し、上述したとおり第１ステー１３と第２ステー１４の相対移動ができなくなるので、リンクアーム１６、１７の下降が阻止され、従って側柵本体８はボトム４の側部で上昇した状態で保持され、安全に使用することができる。
【００４１】
しかしながら上述したフック状部３０のロックピン２１への係合動作において、何らかの原因によりフック状部３０の運動が阻害されて、例えば図９に示されるように、フック状部３０がロックピン２１に中途半端に係合される状態、いわゆる半係状態となることが起きる場合もある。このような半係状態が分からないで使用していると、側柵本体８が不用意に落下する等、危険である。
【００４２】
これに対して、この実施の形態では、操作レバー２３は、ロック片２９のフック状部３０がロックピン２１に正常に係合している状態において、その前部が前面カバー３５の面から突出しない位置としており、正常に係合していない状態では、操作レバー２３の前部が前面カバー３５から突出するので、この操作レバー２３の前面カバー３５からの突出を視認することにより、半係状態を外部から確認することができ、正常に係合するように再度操作することにより、安全な使用状態とすることができる。
【００４３】
この際、例えば、操作時に前面カバーから突出する操作レバー２３の側面部に異色部（図示省略）を形成すれば、操作レバー２３の前面カバー３５からの突出を、色の異なりとして視認することができ、視認が非常に容易となる。
【００４４】
尚、以上に説明した実施の形態では、操作レバー２３側に棒状部、ロック片２９側にフォーク状部３１を設けているが、逆に、操作レバー２３側にフォーク状部、ロック片２９側に棒状部を設けても良い。
【産業上の利用可能性】
【００４５】
本発明は以上の通りであり、次のような利点がある。
１．操作レバーによる操作力は、フォーク状部と、それに移動可能に係合した係合部によって、直接にロック片に伝わるため、ロック片のロックピンからの係合解除操作を確実に行うことができる。
２．操作レバーとロック片との間に中間リンク等の部材を介在させていないので、操作を確実に行えると共に部品数が少なくなるためコストを低減することができる。
３．操作レバーによりロック片のフック状部をロックピンに係合させる操作を行った際に、操作レバーの前面が突出しているか否かを視認することにより、確実に係合が成されているか、中途半端な係合かを外部から知ることができる。この場合、操作レバーの操作時にカバーの前面から突出する側面部に異色部を形成すれば、視認が容易である。
４．操作レバーには、回動規制当接部を設ければ、操作レバーの無理な操作による機構要素の損傷等を防ぐことができる。
５．ロック片のフック状部とロックピンとのロック動作は、第１ステーと第２ステーの相対運動を阻止する構成であるので、ロックピンを、ベッドフレームの取付用ブラケットに設ける構成と比較して、操作レバーの設置位置の自由度が高い。
【００４６】
以上の本発明の機構は、ベッドに利用する他、診察台や患者運搬車等の仰臥台に利用することができるものである。
【図面の簡単な説明】
【００４７】
【図１】本発明に係る機構を利用したベッドの斜視図である。
【図２】本発明に係る機構を利用したベッドの正面図である。
【図３】ベッドから取り外した状態の側柵を正面側から見た斜視図である。
【図４】ベッドから取り外した状態の側柵を背面側から見た斜視図である。
【図５】側柵本体と機構部の前面カバーを外した状態で正面側から見た斜視図である。
【図６】図５の要部の拡大図である。
【図７】図６のＡ−Ａ線で切断した要部の拡大断面図である。
【図８】図６のＡ−Ａ線で切断した要部の拡大断面図で、図７とは別の局面を示している。
【図９】図６のＡ−Ａ線で切断した要部の拡大断面図で、図７、図８とは別の局面を示している。
【図１０】側柵の昇降動作を示す要部断面図である。
【図１１】側柵の昇降動作を示す要部断面図であり、図１０とは別の局面を示している。
【図１２】側柵の昇降動作を示す要部断面図であり、更に別の局面を示している。
【図１３】側柵の昇降動作を示す要部断面図であり、更に別の局面を示している。
【図１４】側柵の昇降動作を示す要部断面図であり、側柵本体の格納状態を示している。
【図１５】側柵を背面側からみた外観図である。
【図１６】別の局面において側柵を正面側から見た外観図である。
【図１７】背面側から見た外観図である。
【図１８】従来の側柵のロック機構を示す側面図である。
【図１９】従来の側柵のロック機構を示す別の局面の側面図である。
【符号の説明】
【００４８】
１              ベッド
２              ベッドフレーム
３              基台
４              ボトム
４ａ，４ｂ，４ｃ，４ｄ    床部
５ａ            ヘッドボード
５ｂ            フットボード
６ａ            手元操作器
６ｂ            介護操作器
７              側柵
８              側柵本体
９              機構部
１０            取付枠
１１ａ，１１ｂ；１２ａ，１２ｂ    軸
１３            第１ステー
１４            第２ステー
１５            ステーロック機構
１６、１７      リンクアーム
１８、１９      支持部材
２０            支持枠
２１            ロックピン
２２            軸
２３            操作レバー
２４            板状部
２５            支持枠
２６            棒状部
２７            支持枠
２８            軸
２９            ロック片
３０            フック状部
３１            フォーク状部
３２            捻りコイルばね
３３            回動規制当接部
３４            取付部材
３５            前面カバー
１０１          ベッド
１０２          ベッドフレーム
１０３          ボトム
１０４          側柵本体
１０５          取付用ブラケット
１０６          第１リンクアーム
１０６ａ，１０６ｂ    軸
１０７          第２リンクアーム
１０７ａ，１０７ｂ    軸
１０８          フック状部
１０９          ロック片
１１０          ロックピン
１１１          操作レバー
１１１ａ      軸
１１２          中間リンク
１１３          ばね
１１４          ダンパー
【図１】
2008029799.tif 000003
【図２】
2008029799.tif 000004
【図３】
2008029799.tif 000005
【図４】
2008029799.tif 000006
【図５】
2008029799.tif 000007
【図６】
2008029799.tif 000008
【図７】
2008029799.tif 000009
【図８】
2008029799.tif 000010
【図９】
2008029799.tif 000011
【図１０】
2008029799.tif 000012
【図１１】
2008029799.tif 000013
【図１２】
2008029799.tif 000014
【図１３】
2008029799.tif 000015
【図１４】
2008029799.tif 000016
【図１５】
2008029799.tif 000017
【図１６】
2008029799.tif 000018
【図１７】
2008029799.tif 000019
【図１８】
2008029799.tif 000020
【図１９】
2008029799.tif 000021